(57)【要約】  空気調和機の室内機は、上面部に吸込口を有し、吸込口よりも下方に吹出口を有するケーシングと、ケーシング内に設けられ、吸込口の下方に設けられた軸流ファンと、ケーシング内に設けられ、軸流ファンの下流側となり吹出口の上流側となる位置に設けられた熱交換器と、を備え、熱交換器は、隙間を介して並設された複数のフィンと、フィンを並設方向に貫通し、内部を冷媒が流れる複数の伝熱管と、を有するフィンアンドチューブ型であって、複数の熱交換部で構成され、側面視してＷ字状またはＶ字状に熱交換部が配置されており、暖房運転時において、側面視して軸流ファンの外周側に配置されている熱交換部の、最も内側の列のうち最上段に配置されている伝熱管から、熱交換器外へ冷媒が流出するものである。
2017068725.tif 000002
【特許請求の範囲】
【請求項１】
上面部に吸込口を有し、該吸込口よりも下方に吹出口を有するケーシングと、
前記ケーシング内に設けられ、前記吸込口の下方に設けられた軸流ファンと、
前記ケーシング内に設けられ、前記軸流ファンの下流側となり前記吹出口の上流側となる位置に設けられた熱交換器と、を備え、
前記熱交換器は、
隙間を介して並設された複数のフィンと、該フィンを並設方向に貫通し、内部を冷媒が流れる複数の伝熱管と、を有するフィンアンドチューブ型であって、
複数の熱交換部で構成され、側面視してＷ字状またはＶ字状に前記熱交換部が配置されており、
暖房運転時において、側面視して前記軸流ファンの外周側に配置されている前記熱交換部の、最も内側の列のうち最上段に配置されている前記伝熱管から、前記熱交換器外へ冷媒が流出するものである
空気調和機の室内機。
【請求項２】
前記熱交換部は、主熱交換部と補助熱交換部とで構成されており、
前記補助熱交換部は、前記主熱交換部よりも上流側に設けられており、
暖房運転時において、側面視して前記軸流ファンの外周側に配置されている前記補助熱交換部の、最上段に配置されている前記伝熱管から、前記熱交換器外へ冷媒が流出するものである
請求項１に記載の空気調和機の室内機。
【請求項３】
側面視して前記軸流ファンの外周側に配置されている前記熱交換部を二つ有し、
暖房運転時において、二つの該熱交換部の、最も内側の列のうち最上段に配置されている前記伝熱管のそれぞれから、前記熱交換器外へ冷媒が流出するものである
請求項１または２に記載の空気調和機の室内機。
【発明の詳細な説明】
【技術分野】
【０００１】
本発明は、暖房性能向上を図った空気調和機の室内機に関するものである。
【背景技術】
【０００２】
従来の空気調和機の室内機は、熱交換器およびファン等の構成機器と、それらを内蔵する箱状のケーシングとで構成されている。この室内機は、配管で接続された室外機との間で冷媒を循環させ、上記熱交換器に通風した空気との間で放熱または吸熱させることにより、部屋を暖房または冷房する。このような従来の空気調和機の室内機において、放熱または吸熱効率を上げることにより空気調和機の性能の向上を図ったものとして、熱交換器の上流側にプロペラファンである軸流ファンを配置した構造が提案されている（例えば、特許文献１および２参照）。【０００３】
特許文献１および２に記載の空気調和機の室内機のように、熱交換器の上流側に軸流ファンを配置することで、通風効率が向上し、空気調和機の性能の向上を図ることができる。
【先行技術文献】
【特許文献】
【０００４】
【特許文献１】国際公開第２０１０／０８９９２０号
【特許文献２】特開平１０−１８５２３７号公報
【発明の概要】
【発明が解決しようとする課題】
【０００５】
特許文献１および２に記載の空気調和機の室内機は、暖房運転時において、軸流ファンのボス部の真下に位置するボス部の下流側は風が流れない領域である死水域となり、高温空気が滞留する。そのため、死水域では熱交換が行われにくくなり、室内機の熱交換性能が低下する。その結果、暖房性能が低下するという課題があった。【０００６】
本発明は、以上のような課題を解決するためになされたもので、暖房性能向上を図ることができる空気調和機の室内機を提供することを目的としている。
【課題を解決するための手段】
【０００７】
本発明に係る空気調和機の室内機は、上面部に吸込口を有し、該吸込口よりも下方に吹出口を有するケーシングと、前記ケーシング内に設けられ、前記吸込口の下方に設けられた軸流ファンと、前記ケーシング内に設けられ、前記軸流ファンの下流側となり前記吹出口の上流側となる位置に設けられた熱交換器と、を備え、前記熱交換器は、隙間を介して並設された複数のフィンと、該フィンを並設方向に貫通し、内部を冷媒が流れる複数の伝熱管と、を有するフィンアンドチューブ型であって、複数の熱交換部で構成され、側面視してＷ字状またはＶ字状に前記熱交換部が配置されており、暖房運転時において、側面視して前記軸流ファンの外周側に配置されている前記熱交換部の、最も内側の列のうち最上段に配置されている前記伝熱管から、前記熱交換器外へ冷媒が流出するものである。
【発明の効果】
【０００８】
本発明に係る空気調和機の室内機によれば、軸流ファンの外周側に配置されている熱交換部の、最も内側の列のうち最上段に配置されている伝熱管、つまり、高温空気が滞留する軸流ファンのボス部の下流側の死水域の影響を受けず、風速が大きい位置に配置されている伝熱管から、暖房運転時において熱交換器外へ冷媒を流出させることで、暖房運転時における過冷却領域の通過風量を増加させることができ、暖房運転時における過冷却量を増加させることができる。その結果、暖房性能向上を図ることができる。
【図面の簡単な説明】
【０００９】
【図１】本発明の実施の形態１に係る空気調和機の室内機の斜視図である。
【図２】本発明の実施の形態１に係る空気調和機の室内機において化粧パネルを取り外した状態を示す斜視図である。
【図３】図１のＡ−Ａ断面図である。
【図４】本発明の実施の形態１に係る熱交換器の一例を示す側面模式図である。
【図５】図４に示す熱交換器の暖房運転時における冷媒の流れを示す図である。
【図６】本発明の実施の形態１に係る別の熱交換器の一例を示す側面模式図である。
【図７】本発明の実施の形態１に係る別の熱交換器の一例を示す側面模式図である。
【図８】本発明の実施の形態２に係る熱交換器の一例を示す側面模式図である。
【図９】図８に示す熱交換器の暖房運転時における冷媒の流れを示す図である。
【図１０】本発明の実施の形態２に係る別の熱交換器の一例を示す側面模式図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
実施の形態１．
図１は、本発明の実施の形態１に係る空気調和機の室内機１００の斜視図であり、図２は、本発明の実施の形態１に係る空気調和機の室内機１００において化粧パネルを取り外した状態を示す斜視図であり、図３は、図１のＡ−Ａ断面図である。
なお、以下の説明において、理解を容易にするために方向を表す用語（例えば「上」、「下」、「右」、「左」、「前」、「後」等）を適宜用いるが、これは説明のためのものであって、これらの用語は本願発明を限定するものではない。また、本実施の形態１では、室内機１００を正面視した状態において、「上」、「下」、「右」、「左」、「前」、「後」を使用する。
【００１２】
以下、図１〜図３を参照して、本実施の形態１に係る空気調和機の室内機１００の全体構造について説明する。
室内機１００は、冷媒を循環させる冷凍サイクルを利用することで、部屋等の空調空間に空調空気を供給するものである。この室内機１００は、主に、室内空気を内部に吸い込むための吸込口２および空調空気を空調対象域に供給するための吹出口３が形成されている箱状のケーシング１と、このケーシング１内に収納され、吸込口２から室内空気を吸い込み、吹出口３から空調空気を吹き出すファンと、冷媒と室内空気とが熱交換することで空調空気を作り出す熱交換器３０と、を有している。
【００１３】
ケーシング１は、吸込口２がケーシング１の上面部６に形成されており、吹出口３が吸込口２よりも下方に形成されている。なお、本実施の形態１では、ケーシング１の前面部４の下側、および、ケーシング１の下面部９に、吹出口３が形成されている。また、吹出口３には、吹出口３から吹き出される空調空気の上下方向の向きを調整する上下風向フラップ１２、および、吹出口３から吹き出される空調空気の左右方向の向きを調整する左右風向フラップ（図示せず）が設けられている。また、上下風向フラップ１２は、室内機１００が停止している状態において、吹出口３を閉塞する構成となっている。
【００１４】
ファンおよび熱交換器３０は、ケーシング１内において、吸込口２よりも下流側となり吹出口３よりも上流側となる位置に設けられている。本実施の形態１では、ファンとして、例えばプロペラファンである軸流ファン２０を用いている。この軸流ファン２０は、回転軸となるボス部２１と、該ボス部２１の外周側に設けられた複数の翼２２とを備えている。軸流ファン２０は、ボス部２１に連結されたファン駆動モーター２３によって駆動される。また、軸流ファン２０の外周側には、上流側端部が拡径されたダクト状のベルマウス２４が設けられている。
【００１５】
ここで、一般的に、空気調和機の室内機１００は設置スペースに制約があるため、軸流ファン２０を大きくできないことが多い。このため、本実施の形態１では、所望の風量を得るために、複数個（実施の形態１では２個）の軸流ファン２０をケーシング１の左右方向、つまり長手方向に並設している。
【００１６】
なお、軸流ファン２０の数は、複数個に限定されるものではない。所望の風量を得ることができれば、１個の軸流ファン２０のみを室内機１００に設けてもよい。ここで、本実施の形態１では、斜流ファンも軸流ファン２０に含むこととする。斜流ファンも、全体的な空気の流れは、ファン回転軸に沿ったものになるからである。
【００１７】
熱交換器３０は、軸流ファン２０の下流側となり吹出口３の上流側となる位置に設けられている。この熱交換器３０は、フィンアンドチューブ型であり、隙間を介して並設された複数のフィン３１と、フィン３１の並設方向にこれらフィン３１を貫通し、内部を冷媒が流れる複数の伝熱管３２と、を備えている。本実施の形態１では、図３に示すように、熱交換器３０の形状を側面視してＷ字状に形成している。なお、熱交換器３０の形状をＷ字状に形成するとしたが、厳密にＷ字状でなくてもよい。
熱交換器３０の詳細については後述する。
【００１８】
また、冷房運転時において、熱交換器３０で室内空気が冷却される際に、熱交換器３０に結露が発生する場合がある。このため、本実施の形態１に係る室内機１００は、熱交換器３０の下端部に、結露を回収するドレンパン１４が設けられている。
【００１９】
また、本実施の形態１に係る室内機１００は、軸流ファン２０によってケーシング１に吸い込まれる空気から塵埃を除去するフィルター４０を備えている。フィルター４０は、着脱自在にケーシング１の吸込口２に設けられている。本実施の形態１では、フィルター４０は、カセット５０に移動自在に収容されている。このカセット５０は、前後方向に着脱自在にケーシング１の吸込口２に設けられている。
【００２０】
なお、本実施の形態１に係る室内機１００は、ケーシング１の前面部４の前方に、意匠パネル１１が開閉自在に設けられている。そして、意匠パネル１１を閉じることにより、カセット５０の前方を覆う構成としている。これにより、室内機１００の意匠性を向上させることができる。
【００２１】
上記のように構成された室内機１００は、例えば、室内の壁面に設けられる。そして、室内機１００は、軸流ファン２０、より詳しくはファン駆動モーター２３、を回転駆動させることにより、室内空気がフィルター４０を通過して、空気中の塵埃が除去され、ケーシング１内の通風路に吸入される。この室内空気は、熱交換器３０において伝熱管３２の内部を流動する冷媒と熱交換して、空調空気となり、上下風向フラップ１２および左右風向フラップ（図示せず）により所望の風向に制御され、吹出口３より空調空間に供給される。
本実施の形態１に係る室内機１００は、暖房運転が可能なものとする。
【００２２】
図４は、本発明の実施の形態１に係る熱交換器３０の一例を示す側面模式図であり、図５は、図４に示す熱交換器３０の暖房運転時における冷媒の流れを示す図である。なお、図５に記載の実線、点線、および矢印は、暖房運転時における冷媒の流れを示している。
続いて、熱交換器３０の詳細構成について図４および図５を用いて説明する。
熱交換器３０は、複数の熱交換部３３から構成されており、図４は一例として、四つの熱交換部３３ａ〜３３ｄで構成され、側面視してＷ字状に熱交換部３３ａ〜３３ｄが配置された熱交換器３０を示したものである。また、各熱交換部３３ａ〜３３ｄは、主熱交換部３４と補助熱交換部３５とで構成されている。ここで、補助熱交換部３５は、主に暖房運転時における過冷却領域を増加させ、熱交換性能を向上させる目的で設けられている。なお、本実施の形態１に係る熱交換器３０は、四つの熱交換部３３ａ〜３３ｄで構成されているが、その数に限定されない。
【００２３】
熱交換部３３ａ、３３ｃにおいて、補助熱交換部３５ａ、３５ｃは、主熱交換部３４ａ、３４ｃの背面側に設けられており、熱交換部３３ｂ、３３ｄにおいて、補助熱交換部３５ｂ、３５ｄは、主熱交換部３４ｂ、３４ｄの前面側に設けられている。言い換えると、補助熱交換部３５ａ〜３５ｄは、主熱交換部３４ａ〜３４ｄよりも軸流ファン２０側、つまり、空気流入側、または上流側に設けられている。また、主熱交換部３４と補助熱交換部３５とは、熱的に遮断されている。
【００２４】
熱交換部３３ａ〜３３ｄの空気流出側、または下流側であり、主熱交換部３４ａ〜３４ｄの下段に配置されている伝熱管３２ａから、暖房運転時において熱交換器３０内へ冷媒が流入する。つまり、伝熱管３２ａには、冷媒入口３６が形成されている。なお、本実施の形態１では、図５に示すように暖房運転時において、熱交換部３３ａ〜３３ｄの計八つの伝熱管３２ａから熱交換器３０内へ冷媒が流入するが、熱交換器３０内へ冷媒が流入する伝熱管３２の数および位置については限定されない。つまり、冷媒入口３６の数および位置については限定されない。
【００２５】
また、側面視して軸流ファン２０の翼２２の外周側（以下、軸流ファン２０の外周側と称する）に配置されている熱交換部３３ａ、３３ｄの空気流入側、または上流側に配置されている伝熱管３２ｂから、暖房運転時において熱交換器３０外へ冷媒が流出する。詳しくは、側面視して軸流ファン２０の外周側に配置されている熱交換部３３ａ、３３ｄの、最も内側の列のうち最上段に配置されている伝熱管３２ｂから、暖房運転時において熱交換器３０外へ冷媒が流出する。言い換えると、側面視して軸流ファン２０の外周側に配置されている補助熱交換部３５ａ、３５ｄの最上段に配置されている伝熱管３２ｂから、暖房運転時において熱交換器３０外へ冷媒が流出する。つまり、伝熱管３２ｂには、冷媒出口３７が形成されている。
【００２６】
なお、上記の熱交換部３３ａ、３３ｄの最も内側の列とは、最も空気流入側、または最も上流側の列である。また、本実施の形態１では、図５に示すように暖房運転時において、熱交換部３３ａおよび熱交換部３３ｄの計二つの伝熱管３２ｂから熱交換器３０外へ冷媒が流出するが、それに限定されず、どちらか一つでもよい。つまり、冷媒出口３７は上記のうち少なくともどちらか一つあればよい。ただし、暖房運転時において、二つの伝熱管３２ｂから熱交換器３０外へ冷媒が流出するようにすることで、二箇所で過冷却量を増加させることができる。
【００２７】
図６は、本発明の実施の形態１に係る別の熱交換器３０ａの一例を示す側面模式図である。なお、図６に記載の実線、点線、および矢印は、暖房運転時における出口側の冷媒の流れを示している。
図６に示すように、熱交換器３０ａを構成する各熱交換部３３ａ〜３３ｄは、補助熱交換部３５ａ〜３５ｄがなく、主熱交換部３４ａ〜３４ｄのみで構成されている。このような場合、側面視して軸流ファン２０の外周側に配置されている熱交換部３３ａ、３３ｄの、最も内側の列のうち最上段に配置されている伝熱管３２ｂから、暖房運転時において熱交換器３０ａ外へ冷媒が流出する。言い換えると、側面視して軸流ファン２０の外周側に配置されている主熱交換部３４ａ、３４ｄの、最も内側の列のうち最上段に配置されている伝熱管３２ｂから、暖房運転時において熱交換器３０ａ外へ冷媒が流出する。
【００２８】
なお、上記の主熱交換部３４ａ、３４ｄの最も内側の列とは、最も空気流入側、または最も上流側の列である。
【００２９】
上記のように、本実施の形態１では、側面視して軸流ファン２０の外周側に配置されている熱交換部３３ａ、３３ｄの、最も内側の列のうち最上段に配置されている伝熱管３２ｂから、暖房運転時において熱交換器３０外へ冷媒が流出する。つまり、本実施の形態１の一例では、側面視して軸流ファン２０の外周側に配置されている補助熱交換部３５ａ、３５ｄの最上段に配置されている伝熱管３２ｂから、暖房運転時において熱交換器３０外へ冷媒が流出する。
【００３０】
また、本実施の形態１の別の一例では、側面視して軸流ファン２０の外周側に配置されている主熱交換部３４ａ、３４ｄの、最も内側の列のうち最上段に配置されている伝熱管３２ｂから、暖房運転時において熱交換器３０ａ外へ冷媒が流出する。
【００３１】
ここで、軸流ファン２０の外周側の下流側は、ボス部２１の真下に位置するボス部２１の下流側の死水域、およびその周辺に比べて風速が大きく、熱交換器３０、３０ａの上流側もその下流側に比べて風速が大きい。そのため、風速が大きい位置に配置されている伝熱管３２ｂから、暖房運転時において熱交換器３０、３０ａ外へ冷媒を流出させることで、暖房運転時における過冷却領域の通過風量を増加させることができ、暖房運転時における過冷却量を増加させることができる。その結果、暖房性能向上を図ることができる。
【００３２】
そのため、暖房性能向上を図るためには、高温空気が滞留する軸流ファン２０のボス部２１の下流側の死水域の影響を受けず、風速が大きい位置に配置されている伝熱管３２ｂから、暖房運転時において熱交換器３０、３０ａ外へ冷媒を流出させるとよい。そこで、本実施の形態１では、側面視して軸流ファン２０の外周側に配置されている熱交換部３３ａ、３３ｄの、最も内側の列のうち最上段に配置されている伝熱管３２ｂから、暖房運転時において熱交換器３０、３０ａ外へ冷媒が流出する。
【００３３】
以上より、本実施の形態１に係る空気調和機の室内機１００によれば、暖房運転時における過冷却領域の通過風量を増加させることができ、暖房運転時における過冷却量を増加させることができるため、暖房性能向上を図ることができる。
【００３４】
図７は、本発明の実施の形態１に係る別の熱交換器３０ｂの一例を示す側面模式図である。なお、図７に記載の実線、点線、および矢印は、暖房運転時における冷媒の流れを示している。
本実施の形態１において、伝熱管３２の列数および段数は図４に示す数に限定されず、伝熱管３２の管径も図４に示す長さに限定されない。例えば、伝熱管３２の列数、段数、および、管径を、図７に示すようにしてもよい。また、暖房運転時において熱交換器３０ｂ外へ冷媒が流出する伝熱管３２ｂの数、つまり、冷媒出口３７の数を、図７に示すように一つにしてもよい。
【００３５】
実施の形態２．
以下、本発明の実施の形態２について説明するが、実施の形態１と重複するものについては（一部の）説明を省略し、実施の形態１と同じ部分または相当する部分には同じ符号を付す。
図８は、本発明の実施の形態２に係る熱交換器３０ｃの一例を示す側面模式図であり、図９は、図８に示す熱交換器３０ｃの暖房運転時における冷媒の流れを示す図である。なお、図９に記載の実線、点線、および矢印は、暖房運転時における冷媒の流れを示している。
本実施の形態２に係る熱交換器３０は、軸流ファン２０の下流側となり吹出口３の上流側となる位置に設けられている。この熱交換器３０ｃは、フィンアンドチューブ型であり、隙間を介して並設された複数のフィン３１と、フィン３１の並設方向にこれらフィン３１を貫通し、内部に冷媒が流入する複数の伝熱管３２と、を備えている。本実施の形態２では、図８および図９に示すように、熱交換器３０ｃの形状を側面視してＶ字状に形成している。なお、熱交換器３０ｃの形状をＶ字状に形成するとしたが、厳密にＶ字状でなくてもよい。
【００３６】
続いて、熱交換器３０ｃの詳細構成について図８および図９を用いて説明する。
熱交換器３０ｃは、複数の熱交換部３３から構成されており、図８は一例として、二つの熱交換部３３ａ、３３ｂで構成され、側面視してＶ字状に熱交換部３３ａ、３３ｂが配置された熱交換器３０ｃを示したものである。また、各熱交換部３３ａ、３３ｂは、主熱交換部３４と補助熱交換部３５とで構成されている。なお、本実施の形態２に係る熱交換器３０ｃは、二つの熱交換部３３ａ、３３ｂで構成されているが、その数に限定されない。
【００３７】
熱交換部３３ａにおいて、補助熱交換部３５ａは、主熱交換部３４ａの背面側に設けられており、熱交換部３３ｂにおいて、補助熱交換部３５ｂは、主熱交換部３４ｂの前面側に設けられている。言い換えると、補助熱交換部３５ａ、３５ｂは、主熱交換部３４ａ、３４ｂよりも軸流ファン２０側、つまり、空気流入側、または上流側に設けられている。また、主熱交換部３４と補助熱交換部３５とは、熱的に遮断されている。
【００３８】
熱交換部３３ａ、３３ｂの空気流出側、または下流側であり、主熱交換部３４ａ、３４ｂの下段に配置されている伝熱管３２ａから、暖房運転時において熱交換器３０ｃ内へ冷媒が流入する。つまり、伝熱管３２ａには、冷媒入口３６が形成されている。なお、本実施の形態２では、図９に示すように暖房運転時において、熱交換部３３ａ、３３ｂの計四つの伝熱管３２ａから熱交換器３０ｃ内へ冷媒が流入するが、熱交換器３０ｃ内へ冷媒が流入する伝熱管３２の数および位置については限定されない。つまり、冷媒入口３６の数および位置については限定されない。
【００３９】
また、側面視して軸流ファン２０の外周側に配置されている熱交換部３３ａの空気流入側、または上流側に配置されている伝熱管３２ｂから、暖房運転時において熱交換器３０ｃ外へ冷媒が流出する。詳しくは、側面視して軸流ファン２０の外周側に配置されている熱交換部３３ａの、最も内側の列のうち最上段に配置されている伝熱管３２ｂから、暖房運転時において熱交換器３０ｃ外へ冷媒が流出する。言い換えると、側面視して軸流ファン２０の外周側に配置されている補助熱交換部３５ａの最上段に配置されている伝熱管３２ｂから、暖房運転時において熱交換器３０ｃ外へ冷媒が流出する。つまり、伝熱管３２ｂには、冷媒出口３７が形成されている。
【００４０】
なお、上記の熱交換部３３ａの最も内側の列とは、最も空気流入側、または上流側の列である。また、本実施の形態２では、図９に示すように暖房運転時において、熱交換部３３ａの計一つの伝熱管３２ｂから熱交換器３０ｃ外へ冷媒が流出するが、それに限定されない。熱交換部３３ｂの、最も内側の列のうち最上段に配置されている伝熱管３２ｂからも熱交換器３０ｃ外へ冷媒が流出するようにしてもよい。つまり、冷媒出口３７を側面視して軸流ファン２０の外周側に配置されている熱交換部３３ａ、３３ｂの両方に形成してもよい。そうすることで、暖房運転時において、二つの伝熱管３２ｂから熱交換器３０ｃ外へ冷媒が流出するようになるため、二箇所で過冷却量を増加させることができる。
【００４１】
図１０は、本発明の実施の形態２に係る別の熱交換器３０ｄの一例を示す側面模式図である。なお、図１０に記載の実線、点線、および矢印は、暖房運転時における出口側の冷媒の流れを示している。
図１０に示すように、熱交換器３０ｄを構成する各熱交換部３３ａ、３３ｂは、補助熱交換部３５ａ、３５ｂがなく、主熱交換部３４ａ、３４ｂのみで構成されている。このような場合、側面視して軸流ファン２０の外周側に配置されている熱交換部３３ａの、最も内側の列のうち最上段に配置されている伝熱管３２ｂから、暖房運転時において熱交換器３０ｄ外へ冷媒が流出する。言い換えると、側面視して軸流ファン２０の外周側に配置されている主熱交換部３４ａの、最も内側の列のうち最上段に配置されている伝熱管３２ｂから、暖房運転時において熱交換器３０ｄ外へ冷媒が流出する。
【００４２】
なお、上記の主熱交換部３４ａの最も内側の列とは、最も空気流入側、または最も上流側の列である。
【００４３】
上記のように、本実施の形態２では、側面視して軸流ファン２０の外周側に配置されている熱交換部３３ａの、最も内側の列のうち最上段に配置されている伝熱管３２ｂから、暖房運転時において熱交換器３０ｃ外へ冷媒が流出する。つまり、本実施の形態２の一例では、側面視して軸流ファン２０の外周側に配置されている補助熱交換部３５ａの最上段に配置されている伝熱管３２ｂから、暖房運転時において熱交換器３０ｃ外へ冷媒が流出する。
【００４４】
また、本実施の形態２の別の一例では、側面視して軸流ファン２０の外周側に配置されている主熱交換部３４ａの、最も内側の列のうち最上段に配置されている伝熱管３２ｂから、暖房運転時において熱交換器３０ｄ外へ冷媒が流出する。
【００４５】
ここで、軸流ファン２０の外周側の下流側は、ボス部２１の真下に位置するボス部２１の下流側の死水域、およびその周辺に比べて風速が大きく、熱交換器３０ｃ、３０ｄの上流側も下流側に比べて風速が大きい。そのため、風速が大きい位置に配置されている伝熱管３２ｂから、暖房運転時において熱交換器３０ｃ、３０ｄ外へ冷媒を流出させることで、暖房運転時における過冷却領域の通過風量を増加させることができ、暖房運転時における過冷却量を増加させることができる。その結果、暖房性能向上を図ることができる。
【００４６】
そのため、暖房性能向上を図るためには、高温空気が滞留する軸流ファン２０のボス部２１の下流側の死水域の影響を受けず、風速が大きい位置に配置されている伝熱管３２ｂから、暖房運転時において熱交換器３０ｃ、３０ｄ外へ冷媒を流出させるとよい。そこで、本実施の形態２では、側面視して軸流ファン２０の外周側に配置されている熱交換部３３ａの、最も内側の列のうち最上段に配置されている伝熱管３２ｂから、暖房運転時において熱交換器３０ｃ、３０ｄ外へ冷媒が流出する。
【００４７】
以上より、本実施の形態２に係る空気調和機の室内機１００ａによれば、暖房運転時における過冷却領域の通過風量を増加させることができ、暖房運転時における過冷却量を増加させることができるため、暖房性能向上を図ることができる。
【符号の説明】
【００４８】
１  ケーシング、２  吸込口、３  吹出口、４  前面部、６  上面部、９  下面部、１１  意匠パネル、１２  上下風向フラップ、１４  ドレンパン、２０  軸流ファン、２１  ボス部、２２  翼、２３  ファン駆動モーター、２４  ベルマウス、３０  熱交換器、３０ａ  熱交換器、３０ｂ  熱交換器、３０ｃ  熱交換器、３０ｄ  熱交換器、３１  フィン、３２  伝熱管、３２ａ  伝熱管、３２ｂ  伝熱管、３３  熱交換部、３３ａ  熱交換部、３３ｂ  熱交換部、３３ｃ  熱交換部、３３ｄ  熱交換部、３４  主熱交換部、３４ａ  主熱交換部、３４ｂ  主熱交換部、３４ｃ  主熱交換部、３４ｄ  主熱交換部、３５  補助熱交換部、３５ａ  補助熱交換部、３５ｂ  補助熱交換部、３５ｃ  補助熱交換部、３５ｄ  補助熱交換部、３６  冷媒入口、３７  冷媒出口、４０  フィルター、５０  カセット、１００  室内機、１００ａ  室内機。
【図１】
2017068725.tif 000003
【図２】
2017068725.tif 000004
【図３】
2017068725.tif 000005
【図４】
2017068725.tif 000006
【図５】
2017068725.tif 000007
【図６】
2017068725.tif 000008
【図７】
2017068725.tif 000009
【図８】
2017068725.tif 000010
【図９】
2017068725.tif 000011
【図１０】
2017068725.tif 000012
【手続補正書】
【提出日】平成30年1月17日(2018.1.17)
【手続補正１】
【補正対象書類名】明細書
【補正対象項目名】０００７
【補正方法】変更
【補正の内容】
【０００７】
本発明に係る空気調和機の室内機は、上面部に吸込口を有し、該吸込口よりも下方に吹出口を有するケーシングと、前記ケーシング内に設けられ、前記吸込口の下方に設けられた軸流ファンと、前記ケーシング内に設けられ、前記軸流ファンの下流側となり前記吹出口の上流側となる位置に設けられた熱交換器と、を備え、前記熱交換器は、隙間を介して並設された複数のフィンと、該フィンを並設方向に貫通し、内部を冷媒が流れる複数の伝熱管と、を有するフィンアンドチューブ型であって、複数の熱交換部で構成され、側面視してＷ字状またはＶ字状に前記熱交換部が配置されており、暖房運転時において、側面視して前記軸流ファンの外周側に配置されている前記熱交換部の、最も内側の列のうち最上段に配置されている前記伝熱管に冷媒出口が形成されているものである。
【手続補正２】
【補正対象書類名】特許請求の範囲
【補正対象項目名】全文
【補正方法】変更
【補正の内容】
【特許請求の範囲】
【請求項１】
上面部に吸込口を有し、該吸込口よりも下方に吹出口を有するケーシングと、
前記ケーシング内に設けられ、前記吸込口の下方に設けられた軸流ファンと、
前記ケーシング内に設けられ、前記軸流ファンの下流側となり前記吹出口の上流側となる位置に設けられた熱交換器と、を備え、
前記熱交換器は、
隙間を介して並設された複数のフィンと、該フィンを並設方向に貫通し、内部を冷媒が流れる複数の伝熱管と、を有するフィンアンドチューブ型であって、
複数の熱交換部で構成され、側面視してＷ字状またはＶ字状に前記熱交換部が配置されており、
暖房運転時において、側面視して前記軸流ファンの外周側に配置されている前記熱交換部の、最も内側の列のうち最上段に配置されている前記伝熱管に冷媒出口が形成されているものである
空気調和機の室内機。
【請求項２】
前記熱交換部は、主熱交換部と補助熱交換部とで構成されており、
前記補助熱交換部は、前記主熱交換部よりも上流側に設けられており、
暖房運転時において、側面視して前記軸流ファンの外周側に配置されている前記補助熱交換部の、最上段に配置されている前記伝熱管に冷媒出口が形成されているものである
請求項１に記載の空気調和機の室内機。
【請求項３】
側面視して前記軸流ファンの外周側に配置されている前記熱交換部を二つ有し、
暖房運転時において、二つの該熱交換部の、最も内側の列のうち最上段に配置されている前記伝熱管のそれぞれに冷媒出口が形成されているものである
請求項１または２に記載の空気調和機の室内機。
【国際調査報告】
2017068725.tif 000013
2017068725.tif 000014
2017068725.tif 000015
2017068725.tif 000016